(57)【特許請求の範囲】
【請求項１】
プライマリネットワークとセカンダリネットワークとの間の通信方法であって、前記セカンダリネットワークは複数のリモートステーションを含みかつ前記プライマリネットワークの伝送容量より小さい伝送容量を有し、基地局は前記プライマリネットワークと前記セカンダリネットワークとの間のデータ送信を可能にし、
前記方法は、前記基地局によって実行される以下のステップを含む方法であって、
設定可能なチャネルパラメータを備えた前記セカンダリネットワークに関連付けられる少なくとも１つの無線仮想チャネルを生成するステップであって、各無線仮想チャネルは、前記複数のリモートステーションのうちの１つのリモートステーションに関連し、前記基地局と前記複数のリモートステーションのうちの前記リモートステーションとの間のポイントツーポイントリンクを可能にし、各無線仮想チャネルの前記設定可能なチャネルパラメータは、前記複数のリモートステーションによって共有されるシグナリングチャネルを介して、前記関連したリモートステーションに送信され、単一のパスが、前記プライマリネットワークのソースと前記リモートステーションとの間に形成され、前記単一のパスは前記リモートステーションに関連する前記仮想チャネルを有する、前記生成するステップと、
生成された前記少なくとも１つの無線仮想チャネルに従って前記セカンダリネットワークに送信されるべき、前記基地局を通る前記データをルーティングするステップと、
を含む、前記方法。
【請求項２】
データ受信ノードを識別するステップと、
前記受信ノードに関連付けられた仮想チャネルを介してデータを送信するステップと
を含む、請求項１記載の方法。
【請求項３】
前記複数のリモートステーションの少なくとも一部は、前記セカンダリネットワークに属する複数のクライアントノードに接続され、各クライアントノードは、前記接続されたリモートステーション及び前記基地局を介して前記プライマリネットワークのノードと通信するのに適しており、前記方法は、クライアントノードに向けたデータを、前記クライアントノードに関連付けられたリモートステーションに関連付けられた無線仮想チャネルへルーティングするステップを含む、請求項１または２に記載の方法。
【請求項４】
前記チャネルパラメータは、
帯域幅特性と、
待ち時間特性と、
サービス品質特性と、
分類基準と、
を含むグループに属する、請求項１または２に記載の方法。
【請求項５】
各仮想チャネルを介した前記通信は、ＩＥＥＥ８０２．１６タイプのプロトコルに従って実行される、請求項１または２に記載の方法。
【請求項６】
前記セカンダリネットワークの各リモートステーションとその他のステーションとの間のポイントツーマルチポイントリンクを削除するステップを含む、請求項１または２に記載の方法。
【請求項７】
仮想チャネル上のフローの送信に使用可能なビットレートを検証し、前記使用可能なビットレートが十分である場合に前記フローの送信を許可し、または前記使用可能なビットレートが不十分である場合に前記フローの送信を拒否するステップを含む、請求項１または２に記載の方法。
【請求項８】
少なくとも１つの仮想チャネル上で映像フローを送信するステップを含む、請求項１または２に記載の方法。
【発明の詳細な説明】
【技術分野】
【０００１】
本発明は、無線による電気通信の分野に関し、さらに具体的には、プライマリネットワーク及びセカンダリネットワークを含むネットワークの管理に関する。
【背景技術】
【０００２】
従来技術によれば、いくつかのネットワークアーキテクチャが公知である。それらは、集中型アーキテクチャまたは非集中型アーキテクチャに基づいている。従って、ＷｉＦｉ方式（ＩＥＥＥ８０２．１１ａ標準規格に基づいている）は、競合チャネルアクセスを備えた非集中型アーキテクチャを有する。ＷｉＭａｘ方式（ＩＥＥＥ８０２．１６標準規格に基づいている）は、より適したサービス品質が特定のアプリケーションに対して実行されることを可能にする集中型アーキテクチャを有する。有線タイプのプライマリネットワークは、専用ステーション（dedicated station）を介してＷｉＦｉタイプまたはＷｉＭａｘタイプの無線ネットワークに接続することができる。
【０００３】
図１は、基地局１０によって結合されているプライマリ通信ネットワーク１１０とセカンダリ通信ネットワーク１１１とを示す。
【０００４】
ネットワーク１１１には、例えばＷｉＦｉタイプまたはＷｉＭａｘタイプの典型的アーキテクチャによる無線媒体（例えば無線通信）を介して基地局１０と通信するリモートステーション（ＲＳ）１２乃至１４を含む。この媒体は、全てのリモートステーションの間で共有される。各リモートステーションは、１つまたは複数のホストノード（Ｈ）に接続している。従って、説明のため、ステーション１２は、有線リンクを通じてスイッチ１５を介して２つのノード１６及び１７に接続している。同様に、ステーション１３（または１４）は、有線リンクを通じてホスト１８（または１９）に直接接続している。
【０００５】
ネットワーク１１０内では、全帯域幅が、このネットワークに属しているノードの間で共有される。同様に、ステーション１２乃至１４は、媒体１１によって提供される帯域幅を共有する。ネットワーク１１０の帯域幅が媒体１１によって提供される帯域幅より大きいと仮定すると、ネットワーク１１１のノードの方への（またはノードの方からの）ネットワーク１１０のノードのデータ送信（またはデータ受信）を可能にするサービス品質は保証されない。
【０００６】
従って、ＷｉＦｉ標準またはＷｉＭａｘ標準を用いた媒体に基づくかかるアーキテクチャは、十分なサービス品質を特定のアプリケーションに対して効果的に管理することができるようにしていない。換言すれば、かかるネットワークで実施される技術は、最小限のサービス品質を、全てのアプリケーションに対して保証することができない。例えば、プライマリネットワークから、プライマリネットワークの伝送容量ほど伝送容量が大きくないセカンダリネットワークへ送信される映像タイプの通信に対して保証できない。
【発明の概要】
【課題を解決するための手段】
【０００７】
本発明の目的は、従来技術の不利な点を克服することである。
【０００８】
より詳しくは、本発明の目的は、セカンダリネットワークに属しているステーションによるプライマリネットワークに向けたまたはプライマリネットワークから発せられるデータの送信及び／または受信についての決定されたサービス品質を保証することである。セカンダリネットワークの容量（特に、ビットレートにおいて）は、プライマリネットワークの容量より小さくなっている。
【０００９】
本発明は、プライマリネットワークとセカンダリネットワークとの間の通信方法に関する。セカンダリネットワークは、複数のリモートステーションを含み、かつプライマリネットワークの伝送容量より小さい伝送容量を有している。基地局は、プライマリネットワークとセカンダリネットワークとの間のデータ伝送を可能にしてサービス品質を保証する。該方法は、
‐設定可能なチャネルパラメータを有するセカンダリネットワークに関連付けられた少なくとも１つの仮想無線チャネルの生成と、
‐生成された１つまたは複数の仮想チャネルに従ってセカンダリネットワークに送信されるべき、基地局によって中継されるデータのルーティングと、
を含む。各仮想チャネルは、複数のステーションうちの１つのステーションと基地局との間のポイントツーポイントリンクを可能にしている。
【００１０】
従って、各仮想チャネルは、各ポイントツーポイントリンクに固有であり、サービス品質は、各仮想チャネル内で保証される。
【００１１】
有利な特徴によれば、該方法は、
‐データ受信ノードを識別するステップと、
‐受信ノードに関連付けられた仮想チャネルを介してデータを送信するステップと、
を含む。
【００１２】
特定の特徴によれば、リモートステーションのうちの少なくとも一部（即ち、リモートステーションのうちの一部または全リモートステーション）は、セカンダリネットワークに属している複数のクライアントノードに接続されている。各クライアントノードは、接続されたリモートステーション及び基地局を介してプライマリネットワークのノードと通信するのに適している。該方法は、クライアントノードに関連付けられたリモートステーションに関連付けられた無線仮想チャネルに、クライアントノードに向けたデータをルーティングするステップを含む。
【００１３】
チャネルのパラメータが、以下を含むグループに属していることが有利である。即ち、
‐帯域幅特性、
‐待ち時間特性、
‐サービス品質特性、
‐分類基準、
を含むグループである。
【００１４】
特定の特徴によれば、各仮想チャネルでの通信は、ＩＥＥＥ８０２.１６タイプのプロトコルにより実行される。
【００１５】
有利な特徴によれば、該方法は、セカンダリネットワークの各リモートステーションとその他のステーションとの間のポイントツーマルチポイントリンク（point-to-multipoint link）を削除するステップを含む。
【００１６】
該方法は、仮想チャネル上のフロー送信に利用可能なビットレートを検証して、利用可能なビットレートが十分な場合にフロー送信を認証するか、または利用可能なビットレートが十分でない場合にフロー送信を拒否するステップを含む。
【００１７】
特定の特徴によれば、該方法は、少なくとも１つの仮想チャネル上で映像フローを送信するステップを含む。
【００１８】
以下の詳細な説明を読むと、本発明がよりよくよく理解され、他の特定の特徴及び利点が即座に明らかになる。詳細な説明は、添付の図面を参照をしている。
【図面の簡単な説明】
【００１９】
【図１】それ自体公知の通信ネットワークアーキテクチャの例を示す図である。
【図２】本発明を実施する要素を有する通信ネットワークアーキテクチャの例を示す図である。
【図３】本発明の特定の実施形態による、図２のネットワークに属する基地局を概略的に示す図である。
【図４】本発明の特定の実施形態による、図２のネットワークに属するリモートステーションを概略的に示す図である。
【図５】図３の基地局において実施されるデータ送信方法を示す図である。
【図６】図４のリモートステーションにおいて実施されるデータ送信方法を示す図である。
【図７】図２のネットワークに属している異なる要素同士の間のフレーム交換の例を示す図である。
【発明を実施するための形態】
【００２０】
図２は、基地局２０によって互いに接続されているプライマリ通信ネットワーク１１０及びセカンダリ通信ネットワーク２４を示す。基地局２０は、無線媒体を介してネットワーク２４へのアクセスを制御する。
【００２１】
セカンダリネットワーク２４は、それぞれ仮想チャネル２１乃至２３上で、例えばＩＥＥＥ８０２.１６標準に基づくプロトコル及びアーキテクチャを用いて、無線媒体（例えば無線通信）を介して基地局２０と通信するリモートステーション２１０、２２０、及び２３０を含む。各リモートステーションは、１つまたは複数のホストノード（Ｈ）に接続され、かつ／またはリモートステーション自体がデータを生成または処理することができるホストノードとみなされる。従って、図示するように、ステーション２１０は、無線リンクを介してスイッチ１５経由で２つのノード１６及び１７に接続されている。ノード１６及び１７並びにステーション２１０からなる一組によって、仮想チャネル２１を介して基地局２０に接続するアイランド（island）が形成される。同様に、ステーション２２０（または２３０）は、有線リンクを介してホスト１８（または１９）に直接接続している。ホスト１６乃至１９は、例えば、直接またはスイッチを介して基地局２０と通信するのに適した無線または有線の送信器／受信器を備えている、コンピュータ端末、カメラである。
【００２２】
プライマリネットワーク１１０は、例えば、コンピュータ端末、レコーディングスタジオ、及びテレビプログラム放送装置などの、１つまたは複数のノード（例えば、ノードＮ１１０１及び１１０２）を含んでいる。
【００２３】
従って、このアーキテクチャは、ＩＰタイプのインターネットプロトコルなどを用いてオーディオデータ／映像データを、またはクロック信号さえも、送出及び／または受信するに特に適している。ネットワーク２４の有線リンクは、例えばイーサネット（登録商標）タイプのものである。プライマリネットワーク１１０内のリンクには、いかなるタイプ（例えば、有線または無線、短距離または長距離）のものもある。ネットワーク１１０及び２４の管理は、例えば、ＳＮＭＰタイプのプロトコルまたはＩＧＰＭタイプのプロトコルを用いる１つまたは複数のステーションを介して、いかなる方法で実行されてもよい。
【００２４】
ネットワーク１１０内では、全帯域幅が、このネットワークに属しているノードの間で共有され得る。しかしながら、本発明によれば、仮想チャネル２１乃至２３は、リモートステーションに固有であって、共有されていない。ネットワーク１１０の帯域幅が、媒体１１（該媒体は、例えば１００Ｍｂｐｓに等しいネットワーク１１０の帯域幅未満の、例えば３０Ｍｂｐｓの帯域幅を提供する）によって提供される帯域幅より大きいと仮定することにより、ネットワーク２４のノードに向けた（またはそこから発せられる）ネットワーク１１０のノードからのデータの送信（または受信）を可能にしている最小限のサービス品質を保障することができる。従って、本発明は、最大公認待ち時間（maximum authorized latency）及び／または最大公認ジッター（maximum authorized jitter）を有する強力なリアルタイム送信制約（例えば、映像に対する）を有するアプリケーションに、特によく適している。仮想チャネルは、セカンダリネットワーク２４（またはプライマリ１１０）に属している通信の発信元とプライマリネットワーク１１０（またはセカンダリ２４）に属しているあて先との間で、確固として安定した通信リンクを設定することができる。従って、発信元がノード１６乃至１９のうちの１つであって、かつあて先がネットワーク１１０のノードである場合、基地局２０を介しかつ仮想チャネルを用いたこの発信元からあて先までのデータ送信は、仮想チャネルによって用いられる無線媒体上の輻輳のために中断されることはなくまたは遅延されない。通信は、別の仮想チャネルによって予約された帯域幅を用いていない仮想チャネルを用いる。このように、映像データの交換を実行している変化形によれば、映像フローは、少なくとも１つの仮想チャネルで送信される。
【００２５】
本発明によれば、リモートステーション（基地局に関して）に接続しているクライアントノードに向けたデータは、このリモートステーションに関連付けられた無線仮想チャネルにルーティングされる。
【００２６】
各仮想チャネル上の通信は、ＩＥＥＥ８０２.１６タイプのプロトコルにより、または、変化形によれば、ＩＥＥＥ８０２.１１タイプのプロトコルにより、実行されることが有利である。
【００２７】
仮想チャネル２１乃至２３での帯域幅予約メカニズムは、ネットワーク２４の要素のディスカバリフェーズ（discovery phase）の後で、ＳＮＭＰなどの管理プロトコルを用いるいかなる方法に基づいていてもよい。
【００２８】
図３は、概略的に基地局２０を示す。
【００２９】
基地局２０は、以下を含み、それらは、クロック信号も運んでいるアドレス及びデータバス３４によって互いに接続されている。即ち、
‐マイクロプロセッサ３１（またはＣＰＵ）、
‐ＲＯＭメモリ（リードオンリメモリ）３２、
‐ＲＡＭメモリ（ランダムアクセスメモリ）３３、
‐無線リンク（媒体２１乃至２３）を介してリモートステーション２１０、２２０、または２３０へ信号を送信するモジュール３５、
‐無線リンク（媒体２１乃至２３）を介してリモートステーション２１０、２２０または２３０から発せられる信号を受信するモジュール３６、及び
‐プライマリネットワーク１１０との通信を可能にするインタフェース３７、
を含む。
【００３０】
メモリの説明において用いられる用語「レジスタ」は、言及されたメモリの各々において、小容量（バイナリのデータ２、３個）のメモリ領域を、大容量（オーディオ/映像信号を表すデータの全部もしくは一部、または全プログラムの記憶を可能にする）のメモリ領域とちょうど同じくらい容易に指定するということが認められる。
【００３１】
ＲＯＭメモリ３２は、「プログ」プログラム３２０を特に含んでいる。
【００３２】
本発明に特有な方法ステップを実行する、以下に説明されるアルゴリズムは、これらのステップを実行する基地局２０に関連付けられたＲＯＭメモリ３２に記憶されている。起動すると、マイクロプロセッサ３１は、これらのアルゴリズムの命令をロードして、実行する。
【００３３】
ＲＡＭ ３３は、特に以下を含む。即ち、
‐レジスタ３３０内の基地局２０を起動することに関与しているマイクロプロセッサ３１のオペレーティングプログラムと、
‐レジスタ３３１内のこのデータを含むデータまたはパケットと、
‐レジスタ３３２内のリモートステーションのアドレスと、
‐レジスタ３３３内の仮想チャネルのパラメータと
を含む。
【００３４】
図４は、例えば、リモートステーション２１０、２２０、または２３０のうちの１つに対応しているネットワーク２４内のあるリモートステーション４を概略的に示す。
【００３５】
リモートステーション４は、以下を含んでいて、それらはクロック信号も運ぶ、アドレス及びデータバス４４で互いに接続されている。即ち、
‐マイクロプロセッサ４１（またはＣＰＵ）と、
‐ＲＯＭメモリ（リードオンリメモリ）４２と、
‐ＲＡＭメモリ（ランダムアクセスメモリ）４３と、
‐無線リンク（媒体２１乃至２３）を介して基地局２０へ信号を送信するモジュール４５と、
‐無線リンク（媒体２１乃至２３）を介して基地局２０から発せられる信号を受信するモジュール４６と、
‐（基地局２０に向けたまたはそこから発せられる通信に用いられる媒体２１乃至２３から独立した媒体を介して）ネットワーク１１１の１つまたは複数のノードとの通信を可能にするインタフェース４７と
を含む。
【００３６】
ＲＯＭメモリ４２は、「プログ」プログラム４２０を特に含む。
【００３７】
本発明に特有な方法ステップを実行する、以下に記載されるアルゴリズムは、これらのステップを実行するリモートステーション４に関連付けられたＲＯＭメモリ４２に記憶される。起動すると、マイクロプロセッサ４１は、これらのアルゴリズムの命令をロードして、実行する。
【００３８】
ＲＡＭ ４３は、特に以下を含む。即ち、
‐レジスタ４３０内のリモートステーション４を起動することに関与しているマイクロプロセッサ４１のオペレーティングプログラムと、
‐レジスタ４３１内のこのデータを含んでいるデータまたはパケットと、
‐レジスタ４３２内の（直接またはスイッチを介してリモートステーション４に接続される基地局２０またはホストステーションの、または基地局２０を介してアクセス可能なネットワーク１１０または２４の任意のノードの）通信アドレスと、
‐レジスタ４３３内のリモートステーション４を基地局２０に接続している仮想チャネルのパラメータと
を含む。
【００３９】
図５は、基地局２０とネットワーク２４の要素との間でデータ（例えば、映像）または通信信号（例えばクロック信号）の送信及び／または受信を行う通信方法を示す。該方法は、少なくとも１つの無線仮想チャネルが生成されるのを特に可能にする。無線仮想チャネルは、構成可能なチャネルパラメータ及びデータを有するネットワーク２４に関連付けられ、データは、生成された１つまたは複数の仮想チャネルによってルーティングされるべきネットワーク２４へ基地局２０を介して中継される。各仮想チャネルは、基地局２０とリモートステーションとの間のポイントツーポイントリンクを可能にしている。この仮想チャネルの生成及び使用によって、有線ネットワーク１１０の無線ネットワーク２４への連続性を確実にすることができる。特に、帯域幅の管理をより簡単にし、ネットワーク２４の伝送容量（全体的な帯域幅）がネットワーク１１０の伝送容量未満であるときでも、サービス品質は各仮想チャネルで保証される（そして、従って各リモートステーションと基地局との間で、仮想チャネルは２つの異なるリモートステーションで共有されない）。常に、基地局は、仮想チャネル上で利用可能なビットレートが分かっている、従って、基地局自体と上りリンク及び下りリンク上の各リモートステーションとの間で利用可能なビットレートが分かっている。ネットワーク２４の発信元と受信先との間には１つのパスだけがある。このパスは、有線上の物理的ポイントツーポイントリンクまたは無線リンクまたは複数の無線リンク上の仮想（または論理）リンクの連続性に対応している。
【００４０】
最初のステップ５０の間に、基地局２０は、通信方法の実施を可能にするその異なるパラメータまたは変数を初期化する。
【００４１】
次に、ステップ５１の間に、基地局２０は、ネットワーク２４の異なる要素を識別し、対応する仮想チャネルを生成する。ネットワーク２４を用いて、基地局２０は、任意の方法（プレレコーディング（pre-recording）、（専用チャネル上などの）ネットワーク２３のノードによって自発的に発信される専用メッセージ（dedicated message）の受信）に従って実施されるディスカバリフェーズの間、または基地局からの要求に応じて、通信を行うことができる。仮想チャネルの生成の間、基地局２０は、各仮想チャネルに対して１つまたは複数のパラメータ４３３を定義する。各仮想チャネルに対するパラメータ４３３は、例えば以下の一組の要素のうちの１つまたは複数の要素を含む。即ち、一組の要素は、
‐コネクション識別子、すなわちＣＩＤ、
‐上りリンク（ネットワーク２４から基地局２０への方向に対応している）、下りリンク（基地局２０からネットワーク２４への方向に対応している）、または１つの変化形によれば双方向である通信方向、
‐仮想チャネルに関連付けられたネットワーク２４のノードのＭＡＣアドレス及び／またはＩＰアドレスのリスト、
‐最大公認ビットレート
‐アクナリッジメントメカニズム（すなわちＡＣＫ）または自動再送要求（すなわちＡＲＱ）の存在または不在、及び対応するパラメータ、
‐ユニキャスト及び／またはマルチキャスト及び／またはブロードキャストである接続タイプ、
‐スケジューリングタイプ、
である。
【００４２】
パラメータは、デフォルト値を有し、自動的に、（例えば、仮想チャネルへ直接若しくは中継局を介して関連付けられているノードによって実施されるアプリケーションタイプに従って、仮想チャネルが関連付けられているスイッチに接続されているノード数に従って、利用可能な全帯域幅に従って、または仮想チャネル数に従って）、または、例えば、ネットワーク管理マシン（基地局２０またはリモートステーションに存在する）上に存在する１つまたは複数のコンフィギュレーションメニューを用いてオペレータによって、修正され得ることが有利である。かかるメニューはまた、より詳細なサブメニューへの、接続された仮想チャネルまたはノードに関する情報への、または通信統計へのアクセスを可能にすることができる。従って、情報または修正のための接続に特有のパラメータを有するサブメニューが表示されてもよい。これらのパラメータは、例えばデータの再送信または受信に対して無限または有限であってもよい分類子またはＡＲＱのパラメータ（特に、ＡＲＱウィンドウサイズ、データブロックのサイズ、タイムアウト値）、データの送信または受信に関連付けられた接続に対して同様に無限または有限であってもよいタイムアウト値、または事前に定義された順番でデータパケットを届ける義務（obligation）または届けなくてもよい義務などである。
【００４３】
本発明によれば、ネットワーク１１０及び２４を接続していて、基地局２０とネットワーク２４のステーションとの間で物理的に通信を可能にしている無線媒体は、一組の仮想チャネルへ変換される。各仮想チャネルは、ステーション２０とネットワーク２４のリモートステーションとの間のポイントツーポイント通信の許可を与える。リモートステーションは、リレーの役割をして、クライアントノードから発せられるデータを受信またはそこに向けたデータを送信することができる。従って、サービス品質の保証に適した仮想チャネルを含んだトポロジーがある。
【００４４】
従って、本発明によれば、自動または手動によるパラメータの定義付けによって、決定されたサービス品質を保証することができる。ネットワーク２４のノードとネットワーク１１０との間のパスの連続性も保証される。さらに、必要なまたは所望のサービス品質（例えば、仮想チャネル上の優先度、最大待ち時間、及び最大ジッターによる）に適しているコンフィギュレーションを有する基地局２０と、リモートステーション２１０、２２０、及び２３０との間の特定の接続を生成することができる。ネットワーク２４に属しているノードは、ノードが有線ネットワークを介して基地局２０に接続しているかのように有利に管理され得ることができる。各接続に対して、以下が定義されることが有利である。即ち、
‐コネクション識別子、すなわちＣＩＤ、
‐方向（例えばアップロードまたはダウンロード）、
‐ポイントツーポイント（すなわちユニキャスト）コネクション型、またはポイントツーマルチポイント（すなわちマルチキャスト）コネクション型、
‐接続に関する最大ビットレート、
‐別の接続（または未承認供与タイプ（unsolicited grant type））によって回復され得ない保証されたビットレートを有するタイプのスケジューリングタイプ、
‐ＩＰパケットのヘッダまたは１つもしくは一組のＩＰアドレスＩＰに存在するサービスタイプ（すなわちＴＯＳ）、
‐例えば、権限を与えられているか否か、ＡＲＱウィンドウサイズ、データブロックサイズ、パケットの受信または送信に関するタイムアウト、接続に関するタイムアウト、パケットの並び順維持などの、１つまたは複数の自動再送要求（即ちＡＲＱ）パラメータ、
が定義される。
【００４５】
次に、ステップ５２の間、基地局２０は、任意の発信元から（例えば、ネットワーク１１０のノードまたはネットワーク２４のノードから）、ネットワーク２４の受信ノードに向けたデータを待って、これを受信する。
【００４６】
次に、ステップ５３の間、基地局２０は、仮想チャネルを識別して、受信ノードへデータ送信するために用いる。ここで、基地局は、１つまたは複数の識別フィールド（例えば、ＭＡＣまたはＩＰアドレス、優先順序、ＶＬＡＮタグ）に従って生成される仮想チャネル内のデータを分類するアルゴリズムを実施する。識別フィールドは、識別子が、対応する接続においてこれらの識別フィールドに関連付けられたパケットを送信することを可能にする。これは、ネットワークコンフィギュレーションの間に要求されるサービス品質（すなわちＱｏＳ）を保証するために用いられる。
【００４７】
次に、ステップ５４の間、基地局２０は、ステップ５３の間に識別された仮想チャネルでデータを送信する。次に、ステップ５２が繰り返される。
【００４８】
変化形によれば、ステップ５４は、仮想チャネルでのフローの送信用の利用可能ビットレートについての事前の検証、及び、
‐仮想チャネルで利用可能ビットレートが十分である場合のフローの送信権限、または、
‐利用可能なビットレートが不十分である場合に、例えば発信元ノードへ特定の制御メッセージを送信することによる、フローの送信拒否、
のうちのいずれかについての事前の検証を含む。
【００４９】
この変化形についての特定の実施形態によれば、基地局は、各仮想チャネルに対して、リアルタイムで利用可能なビットレートを更新することが有利である。即ち、利用可能なビットレートが十分である場合、基地局は、要求された仮想チャネル上の対応するフローのビットレートを確保して、利用可能なビットレートからこのフローで用いられるビットレートを引き算する。
【００５０】
本発明によれば、基地局によるデータの受信は、送信と同様の方法で起こる。即ち、仮想チャネルは、下り方向に関してと同じ方法で上り方向に関連付けられる。仮想チャネルの識別後に、分類がリモートステーション端部での送信の間に行われて所望のまたは必要なサービス品質を保証し、基地局に向けたリモートステーションによる送信が仮想チャネル上で実行される。
【００５１】
図６は、リモートステーション４と基地局２０との間でデータ（例えば映像）または通信信号（例えばクロック信号）の送信及び／または受信を行う通信方法を示す。
【００５２】
第１のステップ６０の間、リモートステーション４は、通信方法の実施を可能にするその異なるパラメータ及び変数を初期化する。
【００５３】
次に、ステップ６１の間、リモートステーション４は、基地局２０に対して（例えば専用シグナリングチャネルを介して）自分自身を特定し、関連付けられている仮想チャネルのパラメータを基地局２０から受信する。リモートステーションが、例えばＩＥＥＥ８O２.１６標準と互換性を有する任意の方法により基地局に対して自分自身を特定すると、リモートステーションは、このステーションのために設けられる第１仮想シグナリングチャネルを生成する。次に、いくつかのメッセージが、この第１仮想チャネルにおいて交換されて、基地局とリモートステーションとの間で１つまたは複数の他の仮想チャネルを生成する。リモートステーション４は、レジスタ４３３にこれらのパラメータを記憶する。これらのパラメータは、基地局のレジスタ３３３に記憶され、かつリモートステーション４による仮想チャネルに対応しているデータに対応する。それらは、任意の方法により基地局２０からリモートステーション４へ送信される（例えば、それらは接続を準備する任意のプロトコルに従って用いられるシグナリングデータパケットに挿入される。）。このために、基地局２０は、全てのリモートステーションによって共有されかつネットワーク２４の管理のために設けられたシグナリングチャネルを用いることができる。
【００５４】
１つの変化形によれば、仮想チャネルコンフィギュレーションの前に、仮想チャネル識別が実行されることが有利である。従って、各リモートステーションに固有の仮想チャネルの生成の前に、データパケットは、デフォルトで１つまたは複数のチャネルを介して送信され、無線ネットワークのいくつかのステーションによって共有される。仮想チャネルが生成されると、これらのチャネルは優先して用いられ、その他のチャネルに関連付けられた接続は削除される。
【００５５】
別の変化形によれば、リモートステーションは、対応する下り方向への仮想チャネルのコンフィギュレーションに類似するコンフィギュレーションを有する上り方向への仮想チャネルを構成する。
【００５６】
次に、ステップ６２の間、リモートステーション４は、ネットワーク１１０の受信ノード、またはリモートステーション４に直接接続されていないネットワーク２４のノードに向けたアプリケーションまたはホストＨデータを待って、受信する。これは、基地局２０を通って受信先に達しなければならないデータである。
【００５７】
次に、ステップ６３の間、リモートステーション４は、リモートステーション４に帰属する仮想チャネルを介して受信ノードに、基地局２０へのデータを送信する。ここでも、リモートステーションは、分類アルゴリズムを実施して、コンフィギュレーションの間、データＱｏＳ制約に従う。次にステップ６２が繰り返される。
【００５８】
図７は、ネットワーク１１０の任意のノード１１００と、基地局２０のリモート管理を利用可能にしている、ネットワーク１１０のノード１１０１と、基地局２０と、リモートステーション２２０と、ノード１８と、の間の通信例を示す（これらの要素は、垂直線によって示されている。動作、イベント、及び／または連続した送信は、発生順に示されている）。
【００５９】
４つのフェーズは、図７に示されている。即ち、
‐第１トポロジーディスカバリフェーズ（first topology discovery phase）７３、
‐仮想チャネルコンフィギュレーションフェーズ７０、
‐ノードＮ１１０１からノードＨ１８へのデータ送信フェーズ７１、
‐ノードＨ１８からノードＮ１１０１へのデータ送信フェーズ７２、
である。
【００６０】
フェーズ７１及び７２は、コンフィギュレーションフェーズ７０に続いている。フェーズ７１及び７２は、独立していて、特に同時に起こるか、オフセットしているか、または別個であってもよい。
【００６１】
フェーズ７３の間、任意の方法（例えばＩＥＥＥ８０２.１６ネットワークにおいて公知の方法など）により無線ネットワークの要素のトポロジディスカバリ（トポロジー発見）を実行する。基地局は、要求を送信してネットワーク２４のトポロジーのディスカバリを行い、ネットワーク２４の各要素（または、デフォルトで少なくともリモートステーション２１０、２２０、及び２３０）は、そのＩＰアドレス及びＭＡＣアドレス、並びに、これらの要素によって実施されるかまたはこれらの要素を介して基地局にデータを送信することができるアプリケーションタイプを指示する任意のパラメータを基地局に送信する（これらのリモートステーションへ有線リンクを介して付随される（attached）ノードからデータを中継するリモートステーションの例などの場合）。このように、基地局は、ネットワーク並びに特にネットワークの各要素のＩＰアドレス及びＭＡＣアドレス並びに接続パラメータを認識するようになり、１つまたは複数のデータに特有のアプリケーションを生成する（例えば、映像フローがネットワーク１１０の発信元ノードからネットワーク２４の目的ノードまで、またはその逆に、送信されなければならない場合、このフローが通過するのを可能にする接続が、基地局とリモートステーションとの間で生成される）。生成された接続は、データフローの方向により上り方向または下り方向へ向かうことができる。
【００６２】
コンフィギュレーションフェーズ７０は、ステーション２０に向けた、ネットワークコントローラ１１０２によって送信される要求７００から開始する。この要求（ＮｅｔｗｏｒｋＭａｎａｇｅｒＲＥＱ）７００は、関連するリモートステーションの識別パラメータと（ＲＳｎｂ）、このリモートステーション（例えば、１０Ｍｂｐｓのビットレートを有するステーション２２０）に関連付けられた仮想チャネルによるビットレートを含む。
【００６３】
次に、基地局２０は、これらのパラメータを記憶し、次に要求７００とコネクション識別子（ＣＩＤ）とのパラメータを含む要求（ＷｉｒｅｌｅｓｓＭａｎａｇｅｒＲＥＱ）７０１を構築する。次にステーション２０は、要求７００において指示されたステーションに対応するリモートステーション２２０に要求７０１を送信する。
【００６４】
次に、リモートステーション２２０は、要求７０１で要求されたパラメータを承認する応答（ＷｉｒｅｌｅｓｓＭａｎａｇｅｒＲｅｓｐ）７０２を構築する。次にステーション２２０は、応答７０２を基地局２０に送信する。
【００６５】
フェーズ７１は、基地局２０へのノード１１０１のＭＡＣレベルのデータパケット（ＭＳＤＵ）７１０の送信から開始する。このパケットは、ノード１８に対応する受信アドレス(＠Ｈ)を含む。基地局２０は、上記したステップ５３の間、データパケットの受信ノード１８に対応する仮想チャネルを決定する。
【００６６】
次に、ステーション２０は、ＭＡＣレベルのデータパケットタイプであり、受信アドレス（＠Ｈ）を含んでいるメッセージ７１２を、ステップ５３の間に決定された仮想チャネルを介して送信する。
【００６７】
ステーション２２０は、ステーション２２０に関連付けられた仮想チャネルに対応するメッセージを受信し、そこからメッセージを抽出し、該メッセージがステーション２２０に向けられたか否かを検証する。メッセージがノード１８に向けられていれば、ステーション２２０は、データ及びデータを受信する受信ノードのアドレスを含むメッセージ７１３を構築して、データを対応するアプリケーションに送信する。
【００６８】
フェーズ７２は、ノード１８のＭＡＣレベルのデータパケット(ＭＳＵＤ)７２０のリモートステーション２２０への送信から開始する。このパケットは、ノード１１０１に対応する受信アドレス（＠Ｎ）を含む。
【００６９】
リモートステーションは、このパケットが該リモートステーションに向けられていないか、またはリモートステーションに関連付けられているノード（例えば有線リンクを介してステーション２２０に接続しているノード）に向けられていないかをチェックし、ステーション２０への上りリンク用のリモートステーションに関連付けられている仮想チャネルを介してメッセージ７２１の形でパケットを送信する。ステーション２２０における実施を単純化しかつ基地局２０によって送信されなければならないパケットの送信を加速することができる１つの変化形によれば、ステーション２２０はアドレスのいかなるフィルタリングも実行せず、仮想チャネルを介して全てのパケットを送信する。
【００７０】
ステーション２０は、メッセージ７１１を受信して、ルーティングステップ７１２を実行することによって受信先を決定する。
【００７１】
‐メッセージ７２１がネットワーク２４のノードに向けられている場合、ステーション２０は、仮想チャネルを決定して、上記したようにステップ５３及びメッセージ７１２の送信に従って、受信先にメッセージを送信する。
【００７２】
‐メッセージ７１２がネットワーク２４のノードに向けられている場合、基地局２０は、受信アプリケーションにメッセージ７１２を送信する。
【００７３】
‐メッセージ７２１がネットワーク１１０のノードに向けられている場合（図７に関して示された場合）、基地局２０は、対応するメッセージ７２３を構築して、ネットワーク１１０を介して受信ノードに送信する。受信ノード１８は、メッセージ７２３を受信して、対応するアプリケーションにデータを送信する。
【００７４】
当然、本発明は前述の実施形態に限定されない。
【００７５】
特に、プライマリネットワーク及びセカンダリネットワークのアーキテクチャは、図２に関して説明されたアーキテクチャと異なっている。プライマリネットワーク及びセカンダリネットワークの要素数及びトポロジーは、いかなるタイプのものであってもよい。プライマリネットワーク及びセカンダリネットワークの要素の機能及び／または形式（電子要素の機能）は、コンポーネントの制限された数に再グループ化されてもよいし、または、それとは逆に、いくつかのコンポーネントに分かれてもよく、さらにそれらはいかなる形の構成を有していてもよい。
【００７６】
本発明は、図１に関して記載されたようなアーキテクチャに限定されないが、１つまたは複数の中継局（すなわちリモートステーション）を備えたローカル（例えば２、３メートルまたは数十メートル）またはリモート（例えば、特にＩＥＥＥ標準８０２.１６に準じた２、３キロメートル）の受信地域を有する無線媒体（例えば、無線通信または光タイプのもの）を介してセカンダリネットワークの要素と直接または間接的に通信する基地局によって互いに接続されているプライマリネットワーク及びセカンダリネットワークを実施するいかなるアーキテクチャにも関する。各リモートステーションは、常に基地局に接続されている。１つの変化形によれば、１つまたは複数の中継局と附属のノードとの間のリンクは無線リンク（ローカルリンクまたはリモートリンク）である。
【００７７】
本発明はまた、いくつかの基地局を含むアーキテクチャと互換性を持つ。従って、ネットワークの帯域幅を増加させることができる。
【００７８】
本発明は、また、前に説明した通信プロトコルと異なる通信プロトコルで用いられてもよい。従って、制御データを、いかなるプロトコルに従って（例えばコンテンションアクセスまたはポーリングモードを用いて）送信することができる。基地局とリモートステーションとの間の通信チャネルはまた、上り方向用及び下り方向用の同じ周波数チャネル（半二重モード）または、異なる周波数チャネル（全二重モード）を用いることができる。
【００７９】
本発明は、プライマリネットワークに属しかつ画像処理及び場合により画像のブロードキャスティングを実行するノードへの、モバイルカメラ（セカンダリネットワークのノードとみなされる）による映像の送信に用いられることが有利である。本発明は、また、他のアプリケーションに対して実行されることが有利である（例えば、移動端末、カメラ、コンピュータ機器、及びゲームコンソールとの通信、これらのタイプの機器は、セカンダリネットワークに属していて、プライマリネットワークから発せられるまたはそこへ向けられたデータを受信及び／または送信することができる。）
本発明のいくつかの実施形態によれば、仮想チャネルは、下り方向及び上り方向に向かって用いられる。実施形態の変化形によれば、基地局とセカンダリネットワークに属しているリモートステーションとの間のリンクは、上り方向に向かう仮想チャネル及び下り方向に向かう別の仮想チャネルを用いることができる（それは、両方向でサービス品質を保証すること、または２つの方向でまさに異なる特性（例えば有効ビットレート）を考慮することに特に有利である）。
【００８０】
実施形態の変化形によれば、仮想チャネルの管理は、仮想チャネルの管理モジュールにおいて補われる。このモジュールは、必ずしも基地局に含まれるというわけではない。基地局及びリモートステーションは、送信するデータパケットの分類を管理する。しかしながら、仮想チャネルの管理モジュールは、トポロジーのディスカバリ及び仮想チャネルの生成を考慮に入れることが有利である。仮想チャネルの管理モジュールは、１つまたは複数の基地局のほかにもリモートステーションにもこれらの仮想チャネルのパラメータを送信する。
【図１】
0005485543.tif 000002
【図２】
0005485543.tif 000003
【図３】
0005485543.tif 000004
【図４】
0005485543.tif 000005
【図５】
0005485543.tif 000006
【図６】
0005485543.tif 000007
【図７】
0005485543.tif 000008